(57)【要約】【課題】本発明は、液体微細化装置とそれを用いたサウナ装置に関するもので、非微細化液体の排出のための配管施工を解消し、施工工事を簡単にすることを目的とする。【解決手段】吸込口４と排気口５を有する本体ケース６と、吸込口４と排気口５を結ぶ風路に設けた熱交換器７およびファンモータ８ａと、このファンモータ８ａと排気口５間に設けた液体微細化手段９とを備え、液体微細化手段９は、回転手段１３と、この回転手段１３に液体を供給する液体供給手段により構成し、液体供給手段は、上方の回転板１６ａに液体を供給する上供給手段と、下方の回転板１６ｂに液体を供給する下供給手段とを有し、この下供給手段は、貯水手段１９と、この貯水手段１９から下方の回転板１６ｂへ液体を供給する水路２０とを有し、この水路２０から下方の回転板１６ｂへの液体供給位置は、上方の回転板１６ａへの液体供給位置より外側である構成とする。【選択図】図２
2010179011.tif 000002
【特許請求の範囲】
【請求項１】
吸込口と排気口を有する本体ケースと、この本体ケース内の前記吸込口と前記排気口を結ぶ風路に設けた加熱手段および送風手段と、この送風手段と前記排気口間の風路内に設けた液体微細化手段とを備え、前記液体微細化手段は、上下方向に開口した筒状の経路と、この筒状の経路内に設けた、回転手段と、この回転手段に液体を供給する液体供給手段とを有し、前記回転手段は、上下方向に向けて配置した回転軸と、この回転軸の軸方向に所定間隔で固定した複数の回転板とを有し、前記液体供給手段は、上方の回転板に液体を供給する上供給手段と、下方の回転板に液体を供給する下供給手段とを有し、この下供給手段は、前記筒状の経路の内壁に設けた貯水手段と、この貯水手段から下方の回転板へ液体を供給する水路とを有し、この水路から下方の回転板への液体供給位置は、上方の回転板への液体供給位置より外側である液体微細化装置。
【請求項２】
水路を複数設けた請求項１に記載の液体微細化装置。
【請求項３】
水路は、環状形状となった貯水手段に対し、等間隔に設けた請求項２に記載の液体微細化装置。
【請求項４】
送風手段により、前記筒状の経路内を下から上へ空気を流す請求項１から３のいずれかに記載の液体微細化装置。
【請求項５】
水路を構成する両側の側面は、その上端がそれぞれ水路外へと傾斜させた請求項４に記載の液体微細化装置。
【請求項６】
本体ケース内の前記吸込口と前記排気口を結ぶ風路を分岐させ、一方の風路にのみ液体微細化手段を設けた請求項１から５のいずれかに記載の液体微細化装置。
【請求項７】
貯水手段の底部は、前記水路側に下方への傾斜を設けた請求項１から６のいずれかに記載の液体微細化装置。
【請求項８】
水路の底部は、前記貯水手段側から前記回転軸へ向かって、前記下方の回転板側へ、１〜１０°傾斜させた請求項１から７のいずれかに記載の液体微細化装置。
【請求項９】
貯水手段と水路を一体で構成とした請求項１から８のいずれかに記載の液体微細化装置。
【請求項１０】
請求項１から９のいずれか一つに記載の液体微細化装置をサウナ室に設置したサウナ装置。
【発明の詳細な説明】
【技術分野】
【０００１】
本発明は、液体微細化装置とそれを用いたサウナ装置に関するものである。
【背景技術】
【０００２】
例えば、サウナ装置に用いられる液体微細化装置の構成は、次のような構成となっていた。
【０００３】
すなわち、吸込口と排気口を有する本体ケースと、この本体ケース内の通気路に設けた加熱手段および送風手段と、この送風手段と排気口間に設けた微細化手段とを備え、前記微細化手段は、給水管から液体を噴射させる構成となっていた（例えば特許文献１参照）。
【特許文献１】特開平６−６３１０３号公報
【発明の開示】
【発明が解決しようとする課題】
【０００４】
上記従来例で課題となるのは、ノズルから噴出された液体のうち、微細化できなかった液体を排出するために、サウナ室に配管を施工しなければならず、施工作業が煩雑になるということである。
【０００５】
すなわち、ノズルから液体を噴出して液体を微細化するタイプのものでは、液体を完全に微細化することができず、サウナ装置に残った大量の非微細化液体を処理するためにサウナ室に配管を延長して、この非微細化液体をサウナ室に排出するようになっている。このような配管をサウナ室に美観的に施工するのは非常に煩雑な作業となっている。
【０００６】
そこで本発明は、施工作業を簡単に行えるようにすることを目的とするものである。
【課題を解決するための手段】
【０００７】
そして、この目的を達成するために本発明は、吸込口と排気口を有する本体ケースと、この本体ケース内の前記吸込口と前記排気口を結ぶ風路に設けた加熱手段および送風手段と、この送風手段と前記排気口間の風路内に設けた液体微細化手段とを備え、前記液体微細化手段は、上下方向に開口した筒状の経路と、この筒状の経路内に設けた、回転手段と、この回転手段に液体を供給する液体供給手段とを有し、前記回転手段は、上下方向に向けて配置した回転軸と、この回転軸の軸方向に所定間隔で固定した複数の回転板とを有し、前記液体供給手段は、上方の回転板に液体を供給する上供給手段と、下方の回転板に液体を供給する下供給手段とを有し、この下供給手段は、前記筒状の経路の内壁に設けた貯水手段と、この貯水手段から下方の回転板へ液体を供給する水路とを有し、この水路から下方の回転板への液体供給位置は、上方の回転板への液体供給位置より外側である構成とし、これにより、上記目的を達成している。
【発明の効果】
【０００８】
以上のように、本発明は、液体微細化手段を、回転手段と、この回転手段に液体を供給する液体供給手段とにより構成することにより、液体微細化手段において、高速で回転する回転手段に微細化に必要な最低限の液体を供給して液体を微細化するので、結果として、液体の微細化時に大量の排液が発生しないものとなる。
【０００９】
つまり、微細化終了時においては、供給した液体をほぼすべて微細化することができ、わずかに残った非微細化液体を特別に排出しなくても自然に乾燥させることもできるので、非微細化液体の排出のための配管施工を解消することができ、その結果として、施工作業が簡単になるという効果を奏する。
【００１０】
しかも、液体供給手段は、上方の回転板に液体を供給する上供給手段と、下方の回転板に液体を供給する下供給手段とを有し、この下供給手段は、前記筒状の経路の内壁に設けた貯水手段と、この貯水手段から下方の回転板へ液体を供給する水路とを有し、この水路から下方の回転板への液体供給位置は、上方の回転板への液体供給位置より外側である構成とすることにより、水路が短くなるため、回転板の間隔を小さくでき、回転板の数量を増やしても液体微細化装置の小型化が実現できる。
【発明を実施するための最良の形態】
【００１１】
以下、本発明の実施の形態について、図面を参照しながら説明する。
【００１２】
（実施の形態）
図１は、本発明の実施の形態における液体微細化装置を用いたサウナ装置の斜視図であり、この図１に示すように、サウナ室１の天井面２には、液体微細化装置３が取り付けられている。
【００１３】
図２は本発明の実施の形態における液体微細化装置の垂直断面の構成図、図３は同内部の斜視図、図４は同液体微細化手段の垂直断面の構成図、図５は同下供給手段の斜視図、図６は同液体供給手段の構成を示す斜視図である。
【００１４】
液体微細化装置３は、図２と図３に示すように、吸込口４と排気口５を有する本体ケース６と、この本体ケース６内の吸込口４と排気口５とを結ぶ風路に設けた加熱手段としての熱交換器７および送風手段としてのファンモータ８ａと、このファンモータ８ａと排気口５との間に設けた液体微細化手段９とを備えた構成としている。
【００１５】
なお、本実施の形態では、一例として、吸込口４と排気口５とを結ぶ風路は、吸込口４から熱交換器７を通過後、図３（ａ）に示す、液体微細化手段９を経由する加湿用の風路（矢印Ａ）と、図３（ｂ）に示す、液体微細化手段９を経由しない加熱用の風路（矢印Ｂ）の２風路に分岐した構成としている。
【００１６】
まず、加湿用の風路（矢印Ａ）構成から説明する。
【００１７】
図２に示すように、ファンモータ８ａから液体微細化手段９へ通じる風路は、ケーシング１０ａとダクト１１ａにより形成されており、矢印Ａに示すように、筒状の経路１２の下側開口に接続している。
【００１８】
液体微細化手段９は、吸込口４と排気口５とを結ぶ風路（加湿用の風路）内の筒状の経路１２と、この筒状の経路１２の内部に設けた回転手段１３と、この回転手段１３に液体を供給する液体供給手段として、上方の回転板１６ａに液体を供給する上供給手段と、下方の回転板１６ｂに液体を供給する下供給手段１８とを有し、上供給手段として給水管１４を備えている。
【００１９】
図４に示すように、回転手段１３は、上下方向に向けて配置した回転軸１５を有し、この回転軸１５の軸方向に、回転軸１５を中心として回動する複数の回転板１６ａ，１６ｂを所定間隔で固定している。本実施の形態では、回転軸１５の上方に設けた回転板１６ａと、下方に設けた回転板１６ｂとの２つを設ける構成としている。
【００２０】
回転手段１３の上部には、回転軸１５を駆動するためのモータ１７を備え、回転手段１３の下部には、モータ１７の駆動により高速回転する回転軸１５および複数の回転板１６ａ，１６ｂを支えるための保持部（図示せず）を備えている。
【００２１】
筒状の経路１２の内壁には、内壁に付着した液体を下方の回転板１６ｂへと供給する下供給手段１８として、図５に示す、環状形状の貯水手段１９および水路２０を設けている。
【００２２】
また図４の下供給手段１８は、筒状の経路１２の内壁に付着した液体を下方の回転板１６ｂへと供給するために、本実施の形態では、上方の回転板１６ａと下方の回転板１６ｂとの間に、筒状の経路１２の内壁に沿って図５に示す貯水手段１９を設け、この貯水手段１９から下方の回転板１６ｂへと液体を供給する水路２０を設ける構成とする。
【００２３】
複数の水路２０は、図５に示すように、貯水手段１９の三方から筒状の経路１２の中心に向かって伸びる形状で、環状形状となった貯水手段１９に対し、等間隔に設けており、図６に示すように、各水路２０から下方の回転板１６ｂへの液体供給位置（ｂ）は、上方の回転板１６ａへの液体供給位置（ａ）より外側としている。
【００２４】
次に、液体微細化手段９を経由しない加熱用の風路（矢印Ｂ）構成を説明する。
【００２５】
図３（ｂ）の矢印Ｂで示すように、加熱用の風路は、ファンモータ８ｂからケーシング１０ｂとダクト１１ｂを経由し、排気チャンバー２１内で、加湿用の風路（矢印Ａ）と合流し、排気口５から排出される。なお、本実施の形態では、ファンモータ８ａとファンモータ８ｂは、２ファン１モータで構成している。
【００２６】
以上の構成において、次に動作（加湿用）を説明する。
【００２７】
サウナ室１内において、サウナを使用する場合、まず、図示していないガス湯沸かし器や電気温水器等の熱源から、図１に示すパイプ２２を介し、図２に示す熱交換器７に温水が供給される。
【００２８】
この状態で、熱交換器７が運転され、図３（ａ）（ｂ）に示すファンモータ８ａ、ファンモータ８ｂが駆動されると、ファンモータ８ａが吸込口４を介してサウナ室１内の空気を吸い込み、吸い込まれた空気は熱交換器７によって加熱される。
【００２９】
加熱された空気は、ファンモータ８ａによって、ケーシング１０ａとダクト１１ａを介して、筒状の経路１２の下側開口へと送られるとともに、ファンモータ８ｂによって、ケーシング１０ｂとダクト１１ｂを介して、排気チャンバー２１に送られる。
【００３０】
一方、モータ１７が駆動されると、回転軸１５が高速回転し、それにともない回転板１６ａおよび回転板１６ｂが高速回転される。
【００３１】
このとき、給水管１４は、高速回転する上方の回転板１６ａの上面の中央近傍に水を供給する。上方の回転板１６ａに供給された水は、高速回転による遠心力によって外周方向に向かって薄膜状に広がり、この薄膜状になった水は、上方の回転板１６ａの外周縁から接線方向へと高速で吹き飛ばされる。
【００３２】
このように、上方の回転板１６ａから遠心力で飛散し微細化された水の一部は、筒状の経路１２の内壁に衝突して破砕され、水の微細化が加速される。
【００３３】
このように、給水管１４から上方の回転板１６ａの上面に供給された水は、この時点で大部分が微細化され、筒状の経路１２の下側開口から流入した加熱された暖かい空気と混ざって蒸気の状態となり、筒状の経路１２の上側開口から流出する。
【００３４】
一方、上方の回転板１６ａの回転によって筒状の経路１２の内壁に衝突しても微細化されずに筒状の経路１２の内壁に付着したわずかな水滴や、微細化された後に内壁において結露した微量の水滴は、筒状の経路１２の内壁を伝って、貯水手段１９に流れ落ち、貯水される。貯水手段１９に貯まったわずかな水は、貯水手段１９の底部に設けた傾斜により各水路２０に向かって流れ、水路２０を介して、貯水手段１９の三方向から、下方の回転板１６ｂへと運ばれる。
【００３５】
このとき、貯水手段１９に貯まったわずかな水は、図５の貯水手段１９外周の矢印で示すように、貯水手段１９の底部は、水路２０側に下方への傾斜、すなわち貯水手段１９の水路２０接続部間のほぼ中央の底部を高くして、水路２０接続部の底部が低くなるように傾斜を設けてあるため、貯水手段１９から各水路２０へ水が流れやすくなり、貯水手段１９内に滞留する水を少なくでき、液体微細化手段９に残った熱によって自然に乾燥できる。
【００３６】
また、図６に示すように、水路２０から下方の回転板１６ｂへの水供給位置ｂを、上方の回転板１６ａへの水供給位置ａより外側にするのが好ましい。
【００３７】
すなわち水路２０は水が自然に流れるように傾斜しており、この水路２０を短くした構成により、上方の回転板１６ａと下方の回転板１６ｂの間隔を小さくできるため、同じスペース内で回転板（１６ａ、１６ｂ）の枚数を増加でき、供給した水の微細化をより完全に行うことができる。
【００３８】
さらに、回転板（１６ａ、１６ｂ）の枚数を増加することで、給水管１４からの供給水量を多くしたい場合にも対応できる。
【００３９】
本構成は、特に浴室の天井裏など、限られたスペースに液体微細化装置を設置する場合に有効である。
【００４０】
しかし、下方の回転板１６ｂへの温水供給位置が外側になっているため、上方の回転板１６ａに比べ外周縁までの距離が短く、高速回転による遠心力によって外周方向へ薄膜状に広がる面積が狭くなり、薄膜状で下方の回転板１６ｂの外周縁から接線方向へと高速で吹き飛ばされる水量が少なくなるため、単位時間当たりの供給水量を少なくしなければならない。
【００４１】
そのため、図５に示すように、水路２０を複数設ければ、各水路２０から供給する水による薄膜状の面積は狭くても、３水路合計できるため薄膜状に広がる面積を広くでき、単位時間当たりの供給水量を少なくする必要がなく、薄膜状で下方の回転板１６ｂの外周縁から接線方向へと高速で吹き飛ばされる水量を多くできる。
【００４２】
さらに複数の水路２０を、環状形状となった貯水手段１９に対し等間隔に設けることにより、各水路２０から下方の回転板１６ｂへ供給された水による、下方の回転板１６ｂ上での薄膜の広がりが重ならず、薄膜状で下方の回転板１６ｂの外周縁から接線方向へと高速で吹き飛ばされる水量を多くできる。
【００４３】
また、貯水手段１９に貯まったわずかな水を下方の回転板１６ｂへ流すため、水路２０の底部を、前記貯水手段側から前記回転軸へ向かって、前記下方の回転板１６ｂ側へ、１〜１０°傾斜させることが好ましい。この傾斜角は大きすぎると、回転板の間隔を大きくする必要があり、設置面の水平性を考慮すると、５〜１０°がより好ましい。
【００４４】
また、微細化終了時において、供給した水をほぼすべて微細化するためには、上方の回転板１６ａより下方の回転板１６ｂの外周縁から接線方向へと高速で吹き飛ばされる水に対し、乾燥空気を当てる、すなわち、図２の矢印Ａに示すように、送風手段としてのファンモータ８ａにより、筒状の経路１２内を下から上へ空気を流すのが好ましい。
【００４５】
また、図５に示す水路２０を構成する両側の側面は、それぞれ水路外へと傾斜させることが好ましい。これにより、筒状の経路１２内の下から上への空気の流れに対する抵抗を少なくでき、筒状の経路１２内の圧力損失を低減できる。ここで水路２０の垂直断面はＵ字形状でもよく、両側の側面の傾斜は、Ｕ字の最下端を起点に両側の側面を構成しているので、両側の側面は傾斜していると言える。
【００４６】
また、貯水手段１９と水路２０を一体で構成すれば、部品点数が少なく精度良く製造することができる。
【００４７】
このように、上方の回転板１６ａに供給された温水は、上方の回転板１６ａが高速回転することによって大部分が微細化されるのに加え、わずかに残った微細化されなかった一部の水滴も、筒状の経路１２に設けた下供給手段１８を介して、高速回転する下方の回転板１６ｂへと運ばれ、上方の回転板１６ａと同様に下方の回転板１６ｂが高速回転することにより、微細化が行われる。
【００４８】
すなわち、筒状の経路１２の内壁から、貯水手段１９および水路２０を介して、下方の回転板１６ｂに供給されたわずかな水滴は、高速回転による遠心力で下方の回転板１６ｂの外周方向に向かって薄膜状に広がって、外周縁から接線方向へと高速で吹き飛ばされ、吹き飛ばされた水滴が筒状の経路１２の内壁に衝突して破砕され、水の微細化が促進されるとともに、筒状の経路１２内を下から上へ流れる高温低湿の乾燥空気と混合し、ほぼ完全に微細化される。
【００４９】
一方、筒状の経路１２の下側開口から液体微細化手段９へ流入した高温低湿の乾燥空気は、まず下方の回転板１６ｂの外周縁から接線方向へと高速で吹き飛ばされた水と接触し、水を微細化して、湿度が上昇するとともに、気化熱を奪われ、温度は少し下がった空気となる。
【００５０】
次に筒状の経路１２内を下から上へ上昇し、上方の回転板１６ａの外周縁から接線方向へと高速で吹き飛ばされた水と接触し、水を微細化して、さらに湿度が上昇するとともに、さらに気化熱を奪われ、温度の低下した空気となる。
【００５１】
このように、上方の回転板１６ａおよび下方の回転板１６ｂの高速回転によって微細化された温水を含む高湿の空気は、図３（ｂ）に示すように、ファンモータ８ａの送風によって、筒状の経路１２の上部開口から排気チャンバー２１に送られ、排気チャンバー２１内で、加熱用の風路（矢印Ｂ）を通ってきた高温乾燥空気と混合することにより、気化熱により低下した温度が上がり、排気口５からサウナ室１の内部へ供給される。
【００５２】
また、このサウナ運転を中断あるいは停止した場合には、ファンモータ８ａ、ファンモータ８ｂと回転手段１３の回転および給水管１４からの給水が停止する。そのときには、給水管１４からそれまでに供給された水は、上方の回転板１６ａおよび下方の回転板１６ｂの高速回転によって、ほぼすべて微細化されている。
【００５３】
以上のような構成と動作によれば、上述のとおり、図４に示すように、高速回転する回転手段１３とこの回転手段１３に液体を供給する給水管１４とを備え、回転手段１３において上方の回転板１６ａ，下方の回転板１６ｂを軸方向に備える構成としたことにより、上方の回転板１６ａでは微細化されなかった、わずかに残った液体を、下方の回転板１６ｂによって微細化することができるため、供給された液体を段階に分けて、ほぼ完全に微細化することが可能となるという効果を奏する。非微細化液体がわずかに残ったとしても、特別に排出せずとも液体微細化手段９に残った熱によって自然に乾燥できる程度の分量となる。
【００５４】
また、液体供給手段としての給水管１４から液体が供給される上方の回転板１６ａ、下方の回転板１６ｂの外周に筒状の経路１２を設け、この筒状の経路１２の内壁に付着した微細化されなかった液体を、下方の回転板１６ｂへと供給する下供給手段１８を設ける構成としたことにより、上方の回転板１６ａから飛散して筒状の経路１２の内側に付着したわずかな非微細化液体を回転手段１３に戻し、下方の回転板１６ｂによってほぼ完全に微細化することが可能となるため、供給したすべての温水を効率よく微細化することが可能となるという効果を奏する。
【００５５】
また、図４〜図６に示す下供給手段１８は、筒状の経路１２の内壁に設けた貯水手段１９と、この貯水手段１９の三方から下方の回転板１６ｂへと液体を供給する水路２０を備えた構成としたことにより、上方の回転板１６ａから吹き飛ばされ、筒状の経路１２の内側に付着した非微細化液体を貯水手段１９に貯めて、そこに貯めた温水を、水路２０を介して、高速回転する下方の回転板１６ｂに戻すことによって、給水管１４から供給した温水を確実に集めて、ほぼ完全に微細化することが可能となる。
【００５６】
また、図６に示すように、水路２０から下方の回転板１６ｂへの水供給位置を、上方の回転板１６ａへの水供給位置より外側にした構成により、上方の回転板１６ａと下方の回転板１６ｂの間隔を小さくできるため、同じスペース内で回転板の枚数を増加でき、供給した水の微細化をより完全に行うことができる。
【００５７】
また、図５に示すように、水路２０を複数設けることにより、下方の回転板１６ｂ上で薄膜状に広がる面積を広くでき、薄膜状で下方の回転板１６ｂの外周縁から接線方向へと高速で吹き飛ばされる水量を多くでき、供給した温水の微細化をより完全に行うことができる。
【００５８】
さらに複数の水路２０を、環状形状となった貯水手段１９に対し等間隔に設けることにより、各水路２０から下方の回転板１６ｂへ供給された水による、下方の回転板１６ｂ上での薄膜の広がりが重ならず、薄膜状で下方の回転板１６ｂの外周縁から接線方向へと高速で吹き飛ばされる水量を多くでき、供給した温水の微細化をより完全に行うことができる。
【００５９】
なお、本実施の形態では、水路２０を３本設けた構成としたが、水路２０から下方の回転板１６ｂへの水供給位置が外周に近づくに従い、薄膜状に広がる面積を広くするためには、水路数を多くしなければならない。しかし、あまり多くすると薄膜の広がりが重なり、薄膜状で下方の回転板１６ｂの外周縁から接線方向へと高速で吹き飛ばされる水量を多くできないとともに、通風路を遮るため、水路数３〜６本が好ましい。
【００６０】
また、貯水手段１９の底部は、水路２０側に下方への傾斜を設けてあるため、各水路２０へほとんどの水を流せ、貯水手段１９内に滞留する水を少なくでき、液体微細化手段９に残った熱によって自然に乾燥できるという効果を奏する。
【００６１】
また、図（ａ）（ｂ）に示すように、送風手段としてのファンモータ８ａにより、筒状の経路１２内を下から上へ空気を流すことにより、下方の回転板１６ｂの外周縁から接線方向へと高速で吹き飛ばされる水に対し、より高温で乾燥した空気を当てることができるため、供給した水の微細化をより完全に行うことができる。
【００６２】
また、水路２０を構成する両側の側面を、それぞれ水路外へと傾斜させた構成とすることにより、筒状の経路１２内の下から上への空気の流れに対する抵抗を少なくでき、筒状の経路１２内の圧力損失を低減できるという効果を奏する。
【００６３】
また、本体ケース６内の吸込口４と排気口５を結ぶ風路を分岐させ、一方の風路にのみ液体微細化手段９を設けた構成とすることにより、液体微細化手段９を経由する加湿用の風路からの空気と、液体微細化手段９を経由しない加熱用の風路からの空気を排気チャンバー２１内で混合でき、適度な温湿度の空気を排気口５からサウナ室１の内部へ供給することができるという効果を奏する。
【００６４】
また、水路２０の底部を、貯水手段１９側から回転軸１５へ向かって、下方の回転板１６ｂ側へ、１〜１０°傾斜させることにより、貯水手段１９に貯まったわずかな水を下方の回転板１６ｂへ自然に流すことができる。
【００６５】
また、貯水手段１９と水路２０を一体で構成すれば、部品点数が少なく精度良く製造することができる。
【００６６】
なお、図４と図６に示す突起２３は、水が筒状の経路１２の内壁に衝突する際に、微細化を促進するために設けられている。
【００６７】
なお、複数の回転板１６ａ，１６ｂの回転数は、３０００ｒｐｍ（ｒｐｍは毎分の回転数を表す単位）より低い回転数とすることにより、高速回転による騒音を抑えることが可能となるという効果を奏する。
【００６８】
なお、給水管１４から供給する水は温水でもよく、給水管１４から６０ｇ／分以下で供給する構成とすると、供給した水あるいは温水を、上方の回転板１６ａおよび下方の回転板１６ｂによって３０００ｒｐｍの回転数において、ほぼ完全に微細化することが可能となるという効果を奏する。
【００６９】
このように、上記の液体微細化装置３をサウナ室１に設置してサウナ装置として利用した場合、供給した液体をほぼ完全に微細化することができ、わずかに残った非微細化液体を特別に排出せずとも、液体微細化手段９に残った熱によって自然に乾燥できる程度の分量となるので、微細化できなかった温水を排水として処理するための配管施工の工事が不要となり、結果として、サウナ装置の施工作業が簡単になるという効果を奏する。
【００７０】
しかも、液体供給手段は、上方の回転板に液体を供給する上供給手段と、下方の回転板に液体を供給する下供給手段とを有し、この下供給手段は、前記筒状の経路の内壁に設けた貯水手段と、この貯水手段から下方の回転板へ液体を供給する水路とを有し、この水路から下方の回転板への液体供給位置は、上方の回転板への液体供給位置より外側である構成とすることにより、水路が短くなるため、回転板の間隔を小さくでき、回転板の数量を増やしても液体微細化装置の小型化が実現できる。
【産業上の利用可能性】
【００７１】
以上のように、本発明の液体微細化装置は、液体を効率よく、ほぼ完全に微細化することが可能となるため、微細化されなかった液体を特別に排出しなくても自然に乾燥させることもできるので、排液手段を別途設ける必要のないものとなる。
【００７２】
したがって、例えば、サウナ装置、加湿装置、冷却装置、噴霧装置、洗浄装置、植物育成設備等への活用が期待される。また、温水だけでなく、油や洗剤等のその他の液体の微細化設備にも利用することが可能である。
【図面の簡単な説明】
【００７３】
【図１】本発明の実施の形態における液体微細化装置を用いたサウナ装置の斜視図
【図２】同液体微細化装置の垂直断面の構成図
【図３】（ａ）同液体微細化装置の内部（加湿用風路）の斜視図、（ｂ）同液体微細化装置の内部（加熱用風路）の斜視図
【図４】同液体微細化手段の垂直断面の構成図
【図５】同下供給手段の斜視図
【図６】同液体微細化手段の構成を示す斜視図
【符号の説明】
【００７４】
４    吸込口
５    排気口
６    本体ケース
７    熱交換器
８ａ、８ｂ  ファンモータ
９    液体微細化手段
１０ａ、１０ｂ  ケーシング
１１ａ、１１ｂ  ダクト
１２  筒状の経路
１３  回転手段
１４  給水管
１５  回転軸
１６ａ、１６ｂ  回転板
１７  モータ
１８  下供給手段
１９  貯水手段
２０  水路
２１  排気チャンバー
２２  パイプ
２３  突起
【図１】
2010179011.tif 000003
【図２】
2010179011.tif 000004
【図３】
2010179011.tif 000005
【図４】
2010179011.tif 000006
【図５】
2010179011.tif 000007
【図６】
2010179011.tif 000008